(57)【要約】      （修正有）【課題】１個の止めネジによりサッシ枠への取り付けることのできるすだれ吊り下げ具を提供する。【解決手段】断面Ｕ字状の取付金具本体１の前板部１１の中央にネジ孔を設けて該ネジ孔１４に止めネジ２を螺合して該止めネジ２の先端面と後板部１３の内面間でサッシ枠の上枠を挟持して取り付けてなり、また、前記前板部１１の上端前方に張設した支持板部の上面に吊り下げ具本体３の上端後方に設けた水平板部３１を支持させたうえ該水平板部３１の下面中央に突設した軸部３２を前記支持板部の中央に設けた軸孔部に抜け止め処理をして回動自在に取り付ける。【選択図】図１
0003160662.tif 000002
【実用新案登録請求の範囲】
【請求項１】
前板部と該前板部の下端の後方に連設した底板部と該底板部の先端に上向きに連設した後板部とよりなる断面Ｕ字状の取付金具本体の前記前板部の中央にネジ孔を設けて該ネジ孔に止めネジを螺合して該止めネジの先端面と前記後板部の内面間でサッシ枠の上枠を挟持して取り付けてなり、また、前記前板部の上端前方に張設した支持板部の上面に吊り下げ具本体の上端後方に設けた水平板部を支持させたうえ該水平板部の下面中央に突設した軸部を前記支持板部の中央に設けた軸孔部に抜け止め処理をして回動自在に取り付けたことを特徴とするすだれ吊り下げ具。
【請求項２】
前記吊り下げ具本体の軸部を軸孔部への抜け止め処理を、吊り下げ具本体の上端後方に設けた水平板部の下面中央に突設した軸部の下端の側部に抜止片を張設して、他方前記軸部を軸支する軸孔部の側部に前記抜止片が挿通できる切欠部を前記吊り下げ具本体が前記前板部の中央前方に位置しない箇所に設けて、前記抜止片を切欠部に合致させて軸部を軸孔部に軸支したうえ軸部を回動させて吊り下げ具本体が前記前板部の中央前方に位置させるものとした請求項１に記載のすだれ吊り下げ具。
【請求項３】
前記吊り下げ具本体の上端後方に設けた水平板部の基端に位置決め片を突設して、該位置決め片の両側を規制する位置決め突起を前記支持板部に設けた請求項１又は２に記載のすだれ吊り下げ具。
【請求項４】
前記位置決め片の両側を規制する一方の位置決め突起の左右の側面を傾斜案内面に形成するとともに、他方の位置決め突起の左右の側面のうち前記一方の位置決め突起と対向する側面を立壁面に形成し他の側面を傾斜案内面に形成して、また、前記吊り下げ具本体の軸部を軸孔部に軸支した状態で前記位置決め片が他方の位置決め突起の傾斜案内面の外側に位置した状態において、前記吊り下げ具本体の軸部の下端の側部に張設した抜止片が前記軸孔部の側部に設けた切欠部において合致するものとした請求項３に記載のすだれ吊り下げ具。
【考案の詳細な説明】
【技術分野】
【０００１】
本考案は、アルミサッシ窓枠の上枠等に容易に取り付けできるすだれ吊り下げ具に関するものである。
【背景技術】
【０００２】
アルミサッシ窓枠の上枠等に容易に取り付けできるすだれ吊り下げ具としては、上枠への取付金具本体の中央から前方に張設した腕板部の先端に吊り具本体を垂設して、該吊り具本体の両側に位置する前記取付金具本体の両側を止めネジにより上枠に固定して取り付けるもの（例えば、特許文献１、２参照）が知れている。このようなすだれ吊り下げ具は吊り具本体の両側において止めネジによる取付作業を行うので該吊り具本体が邪魔にならず取付作業が容易となるものである。
【０００３】
ところが、前記した従来のものは、取付金具本体のサッシ枠への固定を該取付金具本体の両側において２個の止めネジにより行うものであるため取付けが面倒であり、また、部品点数もその分多くなり製造コストが高くなるという問題がある。
【先行技術文献】
【特許文献】
【０００４】
【特許文献１】特開平１１−４２１５７号公報
【特許文献２】登録実用新案第３００４４６８号公報
【考案の概要】
【考案が解決しようとする課題】
【０００５】
本考案は前記のような問題を解決して、１個の止めネジによりサッシ枠への取り付けることのできるすだれ吊り下げ具を提供することを目的として完成されたものである。
【課題を解決するための手段】
【０００６】
本考案のすだれ吊り下げ具は、前板部と該前板部の下端の後方に連設した底板部と該底板部の先端に上向きに連設した後板部とよりなる断面Ｕ字状の取付金具本体の前記前板部の中央にネジ孔を設けて該ネジ孔に止めネジを螺合して該止めネジの先端面と前記後板部の内面間でサッシ枠の上枠を挟持して取り付けてなり、また、前記前板部の上端前方に張設した支持板部の上面に吊り下げ具本体の上端後方に設けた水平板部を支持させたうえ該水平板部の下面中央に突設した軸部を前記支持板部の中央に設けた軸孔部に抜け止め処理をして回動自在に取り付けたことを特徴とするものを基本の考案とする。
【０００７】
そして、前記考案において前記吊り下げ具本体の軸部の軸孔部への抜け止め処理を、吊り下げ具本体の上端後方に設けた水平板部の下面中央に突設した軸部の下端の側部に抜止片を張設して、他方前記軸部を軸支する軸孔部の側部に前記抜止片が挿通できる切欠部を前記吊り下げ具本体が前記前板部の中央前方に位置しない状態と対応する箇所に設けて、前記抜止片を切欠部に合致させて軸部を軸孔部に軸支したうえ軸部を回動させて吊り下げ具本体が前記前板部の中央前方に位置させるものすることが好ましいものである。
【０００８】
また、前記吊り下げ具本体の上端後方に設けた水平板部の基端に位置決め片を突設して、該位置決め片の両側を規制する位置決め突起を前記支持板部に設けることが好ましいものである。
【０００９】
さらに、前記位置決め片の両側を規制する一方の位置決め突起の左右の側面を傾斜案内面に形成するとともに、他方の位置決め突起の左右の側面のうち前記一方の位置決め突起と対向する側面を立壁面に形成し他の側面を傾斜案内面に形成して、また、前記吊り下げ具本体の軸部を軸孔部に軸支した状態で前記位置決め片が他方の位置決め突起の傾斜案内面の外側に位置した状態において、前記吊り下げ具本体の軸部の下端の側部に張設した抜止片が前記軸孔部の側部に設けた切欠部と合致するものとすることがより好ましいものである。
【考案の効果】
【００１０】
前記した本考案のすだれ吊り下げ具は、断面Ｕ字状の取付金具本体の前板部の中央に設けたネジ孔に止めネジを螺合して該止めネジの先端面と後板部の内面間でサッシ枠の上枠を挟持して取り付けるものであるから、吊り下げ具本体を中央に位置させて１個の止めネジにより確実に前記上枠に取り付けできるものである。
【００１１】
そして、前記前板部の上端前方に張設した支持板部の上面に吊り下げ具本体の上端後方に設けた水平板部を支持させたうえ該水平板部の下面中央に突設した軸部を前記支持板部の中央に設けた軸孔部に抜け止め処理をして回動自在に取り付けたものであるから、すだれ吊り下げ具を前記上枠への取付作業を行う際に吊り下げ具本体を回動させて該すだれ吊り下げ具本体を前記ネジ孔の前面より除けて作業空間を設ければ該ネジ孔に止めネジを螺合作業が容易なものとなる。
【００１２】
また、前記吊り下げ具本体の軸部の軸孔部への抜け止め処理を、吊り下げ具本体の上端後方に設けた水平板部の下面中央に突設した軸部の下端の側部に抜止片を張設して、他方前記軸部を軸支する軸孔部の側部に前記抜止片が挿通できる切欠部を前記吊り下げ具本体が前記前板部の中央前方に位置しない箇所に設けて、前記抜止片を切欠部に合致させて軸部を軸孔部に軸支したうえ軸部を回動させて吊り下げ具本体が前記前板部の中央前方に位置させるものとすれば、取り付けが容易であり、また、部品点数も少ないものとなる。
【００１３】
また、前記吊り下げ具本体の上端後方に設けた水平板部の基端に位置決め片を突設して、該位置決め片の両側を規制する位置決め突起を前記支持板部に設けることにより、吊り下げ具本体を取付金具本体の前板部の中央に静止した状態で位置させることができるので、すだれ掛け作業が容易なものとなる。
【００１４】
さらに、前記位置決め片の両側を規制する一方の位置決め突起の左右の側面を傾斜案内面に形成するとともに、他方の位置決め突起の左右の側面のうち前記一方の位置決め突起と対向する側面を立壁面に形成し他の側面を傾斜案内面に形成して、また、前記吊り下げ具本体の軸部を軸孔部に軸支した状態で前記位置決め片が他方の位置決め突起の傾斜案内面の外側に位置した状態において、前記吊り下げ具本体の軸部の下端の側部に張設した抜止片が前記軸孔部の側部に設けた切欠部において合致するものとされている。
【００１５】
これにより、前記取付金具本体に吊り下げ具本体を回動自在に組み付ける場合に、前記位置決め片が他方の位置決め突起の傾斜案内面の外側に位置させて、前記吊り下げ具本体の軸部の抜止片と前記軸孔部の切欠部において合致させて吊り下げ具本体の軸部を軸孔部に軸支して、該吊り下げ具本体の軸部を中心に前記位置決め片が前記他方の位置決め突起の傾斜案内面側に回動すれば、位置決め片が前記他方の位置決め突起の傾斜案内面に案内されて該他方の位置決め突起を乗り越えて、前記抜け止め片が切欠部とは合致しない箇所において前記軸孔部の孔縁下面に係止して軸部は軸孔部に対して抜け出ることなく回動自在に軸支されるものである。
【００１６】
そして、前記他方の位置決め突起は傾斜案内面を越えた側の側面を立壁面に形成しているので、位置決め片は他方の位置決め突起側に向けた回動が阻止されて、前記抜け止め片と切欠部とが合致する箇所には戻ることはできないものである。しかも、前記吊り下げ具本体の位置決め片の両側を規制する位置決め突起から離脱させて吊り下げ具本体を取付金具本体の前板部の中央に位置から除くには、前記位置決め片の両側を規制する一方の位置決め突起の左右の側面を傾斜案内面に形成しているので、該位置決め片は傾斜案内面を乗り越えて行うことができるものである。しかも、位置決め片は傾斜案内面を乗り越えて吊り下げ具本体の軸部の回動を続ければ、吊り下げ具本体は前記取付金具本体の前板部に当たるので、前記抜け止め片と切欠部とが合致する箇所に達することがないので、軸部が軸孔部から抜け出ることはないものである。
【図面の簡単な説明】
【００１７】
【図１】本考案の実施形態を示す斜視図。
【図２】本考案の実施形態を示す一部切欠側面図。
【図３】本考案の実施形態を示す正面図。
【図４】本考案の実施形態の取付金具本体と吊り下げ具本体の軸孔部と軸部を分解して示す一部切欠側面図。
【図５】本考案の実施形態を態様を異にして示す正面図。
【図６】本考案の実施形態を示す平面図。
【図７】本考案の実施形態に使用する位置決め突起と位置決め片を示す断面図。
【図８】本考案の実施形態を態様を異にして示す平面図。
【図９】本考案の実施形態を態様を異にして示す平面図。
【図１０】本考案の実施形態に使用する吊り下げ具本体を示す図であり、（イ）は側面図、（ロ）は（イ）図のＸ−Ｘ断面図。
【図１１】本考案の実施形態に使用する取付金具本体を示す図であり、（イ）は側面図、（ロ）は正面図、（ハ）は平面図、（ニ）は位置決め突起を示す断面図。
【図１２】本考案の実施形態の使用例を示す斜視図。
【図１３】本考案の実施形態の他例を示す側面図。
【考案を実施するための形態】
【００１８】
次に、本考案の好ましい実施の形態を図面に基づき説明する。
１は窓等のサッシ枠の上枠に取り付ける断面Ｕ字状の取付金具本体であり、該取付金具本体１は前板部１１と該前板部１１の下端の後方に連設した底板部１２と該底板部１２の先端に上向きに連設した後板部１３とよりなり、前記前板部１１の中央にネジ孔１４を設けて該ネジ孔１４に止めネジ２を螺合して該止めネジ２の先端面と前記後板部１３の内面間でサッシ枠の上枠（Ａ）を挟持して取り付けるものである。
【００１９】
そして、前記前板部１１の上端前方には支持板部１５を張設して、該支持板部１５の上面に吊り下げ具本体３の上端後方に設けた円板状の水平板部３１を支持させたうえ該水平板部３１の下面中央に突設した軸部３２を前記支持板部１５の中央に設けた軸孔部１６に抜け止め処理をして回動自在に取り付けている。なお、前記吊り下げ具本体３は図１に示すものは、円板状の水平板部３１の先端にフック部３０を１個垂設したものであるが、フック部の形状及び個数は特に限定されるものでなく、例えば、図１３に示すようにフック部３０を前後に２個垂設したものであってもよい。
【００２０】
前記したように、取付金具本体１は１個の止めネジ２により確実に前記上枠（Ａ）に取り付けできるものである。そして、前記吊り下げ具本体３の軸部３２を軸孔部１６に抜け止め処理をして回動自在に取り付けたものであるから、すだれ吊り下げ具を前記上枠（Ａ）への取付作業を行う際に吊り下げ具本体３を回動させて該吊り下げ具本体３を前記ネジ孔１４の前面より除いて図５に示すように作業空間を作れば該ネジ孔１４への止めネジ２の螺合作業が容易なものとなる。
【００２１】
また、前記吊り下げ具本体３の軸部３２を軸孔部１６に抜け止め処理は、図４、図６に示すように前記吊り下げ具本体３の水平板部３１の下面中央に突設した軸部３２の下端の側部に横向きに抜止片３２ａを張設して、他方前記軸部３２を軸支する軸孔部１６の側部に前記抜止片３２ａが挿通できる切欠部１６ａを前記吊り下げ具本体３が前記前板部１１の中央前方に位置しない状態となる箇所に設けている。
【００２２】
これにより、図９に示すように前記抜止片３２ａを切欠部１６ａに合致させて軸部３２を軸孔部１６に軸支したうえ前記図６に示すように軸部３２を回動させて吊り下げ具本体３が前記前板部１１の中央前方に位置させるものとすることができ、吊り下げ具本体の軸部を前記支持板部の軸孔部に抜け止め処理をして回動自在に取り付けすることが容易であり、また、部品点数も少ないものとなる。
【００２３】
また、図１、図６、図８及び図９に示すように前記吊り下げ具本体３の上端後方に設けた水平板部３１の基端に位置決め片３３を張設して、該位置決め片３３の両側を規制する位置決め突起１７、１８を前記支持板部１５に設けている。これにより図３、図６に示すように吊り下げ具本体３を取付金具本体１の前板部１１の中央に静止した状態で位置させることができるので、すだれ（Ｂ）を掛ける作業が容易なものとなる。
【００２４】
さらに、図６、図７、図８、図９に示すように前記位置決め片３３の両側を規制する一方の位置決め突起１７の左右の側面を傾斜案内面１７ａ、１７ａに形成するとともに、他方の位置決め突起１８の左右の側面のうち前記一方の位置決め突起１７と対向する側面を立壁面１８ｂに形成し他の側面を傾斜案内面１８ａに形成している。そして、図９に示すように前記吊り下げ具本体３の軸部３２を軸孔部１６に軸支した状態で前記位置決め片３３が他方の位置決め突起１８の傾斜案内面１８ａの外側に位置した状態において、前記吊り下げ具本体３の軸部３２の抜止片３２ａが前記軸孔部１６の側部に設けた切欠部１６ａにおいて合致するものとするものとしている。
【００２５】
そして、図９に示すように前記吊り下げ具本体３の軸部３２を軸孔部１６に軸支した状態で前記位置決め片３３が他方の位置決め突起１８の傾斜案内面１８ａの外側に位置した状態において、前記吊り下げ具本体３の軸部３２の抜止片３２ａが前記軸孔部１６の側部に設けた切欠部１６ａにおいて合致するものとするものとしている。
【００２６】
なお、図示のものは、前記一方の位置決め突起１７は左右の側面を傾斜案内面１７ａ、１７ａに形成するため、半球状の突起により形成して、半球面の頂点を基準に左右の球面部を傾斜案内面１７ａ、１７ａとしている。また、他方の位置決め突起１８は半球面の突起を頂点で２分した形状として、頂点で２分した側面を立壁面１８ｂに形成し残された球面部を傾斜案内面１８ａに形成している。これにより、取付金具本体１が金属板材よりなるものであれば簡単にプレス加工により製造できるものである。
【００２７】
これにより、前記取付金具本体１に吊り下げ具本体３を回動自在に組み付ける場合に、図９に示すように前記位置決め片３３が他方の位置決め突起１８の傾斜案内面１８ａの外側に位置させて、前記吊り下げ具本体３の軸部３２の抜止片３２ａと前記軸孔部１６の切欠部１６ａを合致させて軸部３２を軸孔部１６に軸支して、該吊り下げ具本体３の軸部３２を中心に前記位置決め片３３が前記他方の位置決め突起１８の傾斜案内面１８ａ側に回動すれば、位置決め片３３が前記他方の位置決め突起の傾斜案内面１８に案内されて該他方の位置決め突起１８を乗り越えて、図６に示すように位置決め片３３の両側が両位置決め突起１７、１８の規制下に、前記抜け止め片３２ａが切欠部１６ａとは合致しない箇所において前記軸孔部１６の孔縁下面に係止して軸部３２は軸孔部１６に対して抜け出ることなく回動自在に軸支されるものである。
【００２８】
そして、前記他方の位置決め突起１８は傾斜案内面１８ａを越えた側の側面を立壁面１８ｂに形成しているので、位置決め片３３は他方の位置決め突起１８側に向けた回動が阻止されて、前記抜け止め片３２ａと切欠部１６ａとが合致する箇所には戻ることはできないものである。
【００２９】
しかも、前記吊り下げ具本体３の位置決め片３３の両側を規制する位置決め突起１７、１８の間から離脱させて吊り下げ具本体３を取付金具本体１の前板部１１の中央位置から除くには、前記位置決め片３３の両側を規制する一方の位置決め突起１７の左右の側面を傾斜案内面１７ａ、１７ａに形成しているので、該位置決め片３３は傾斜案内面１７ａを乗り越えて行うことができるものである。しかも、位置決め片３３は傾斜案内面１７を乗り越えて吊り下げ具本体３の軸部３２の回動を続ければ、吊り下げ具本体３は前記取付金具本体１の前板部１１に当たるので、前記抜け止め片３２ａと切欠部１６ａとが合致する箇所に達することがないので、軸部３２が軸孔部１６から抜け出ることはないものである。
【符号の説明】
【００３０】
１   取付金具本体１
11   前板部
12   底板部
13   後板部
14   ネジ孔
15   支持板部
16   軸孔
16a  切欠部
17   位置決め突起
17a  案内傾斜面
18   位置決め突起
18a  案内傾斜面
18b  立壁面
２   止めネジ
３   吊り下げ具本体
31   水平板部
32   軸部
32a  抜け止め片
33   位置決め片
【図１】
0003160662.tif 000003
【図２】
0003160662.tif 000004
【図３】
0003160662.tif 000005
【図４】
0003160662.tif 000006
【図５】
0003160662.tif 000007
【図６】
0003160662.tif 000008
【図７】
0003160662.tif 000009
【図８】
0003160662.tif 000010
【図９】
0003160662.tif 000011
【図１０】
0003160662.tif 000012
【図１１】
0003160662.tif 000013
【図１２】
0003160662.tif 000014
【図１３】
0003160662.tif 000015